(57)【要約】【課題】ベルトの応力集中を回避し，ベルトの機械的耐久性を向上させた無端状ベルトおよびそれを備えた画像形成装置を提供すること。【解決手段】無端状ベルトの基材５５の縁部に貼付された補強テープ６は，テープの基材６１と，粘着材によってなる粘着層６２とを有している。また，補強テープ６の両端部領域（無端状ベルト５の回転方向において，上流側の端部領域と下流側の端部領域）は，その最端部から所定の範囲内の領域に粘着材が塗布されていない。この補強テープ６を，一方の端部領域内の非粘着領域が他方の端部領域内の粘着領域と重なり合うように配置する。すなわち，粘着領域同士が重なり合わないように配置する。【選択図】            図５
2007139997.tif 000002
【特許請求の範囲】
【請求項１】
無端状のベルトの基材と，前記基材の縁部に貼付されたテープ部材とを有し，前記テープ部材の端部領域同士を重ねて繋ぎ合わせた無端状ベルトにおいて，
前記テープ部材は，
粘着層を有する第１領域と，
少なくとも一方の端部領域に位置し，粘着層が無いあるいは粘着層の厚さが前記第１領域よりも薄い第２領域とを有し，
端部領域同士の繋ぎ目では，一方の端部領域内の第１領域と他方の端部領域内の第２領域とが重ね合わせられていることを特徴とする無端状ベルト。
【請求項２】
請求項１に記載する無端状ベルトにおいて，
前記テープ部材の上側に重ねられる端部領域では，粘着層を有する領域が最端部に接していることを特徴とする無端状ベルト。
【請求項３】
請求項１または請求項２に記載する無端状ベルトにおいて，
前記第２領域のベルトの回転方向の端部の境界線は，ベルトの回転方向に対して斜めに設けられていることを特徴とする無端状ベルト。
【請求項４】
無端状のベルトの基材と，前記基材の縁部に貼付され，端部が非接触で対向するテープ部材と，前記テープ部材の両端部領域上に貼付され，前記テープ部材の端部領域間の隙間を補強する補助テープ部材とを有する無端状ベルトにおいて，
前記補助テープ部材は，
粘着層を有する第１領域と，
粘着層が無いあるいは粘着層の厚さが前記第１領域よりも薄い第２領域とを有し，
前記テープ部材は，
粘着層を有する第３領域を有し，
前記テープ部材と前記補助テープ部材との繋ぎ目では，前記第２領域と前記第３領域とが重ね合わせられていることを特徴とする無端状ベルト。
【請求項５】
請求項４に記載する無端状ベルトにおいて，
前記テープ部材は，
端部領域に位置し，粘着層が無いあるいは粘着層の厚さが前記第３領域よりも薄い第４領域を有し，
前記テープ部材と前記補助テープ部材との繋ぎ目では，前記第１領域と前記第４領域とが重ね合わせられていることを特徴とする無端状ベルト。
【請求項６】
請求項４または請求項５に記載する無端状ベルトにおいて，
前記補助テープ部材では，粘着層を有する領域が最端部に接していることを特徴とする無端状ベルト。
【請求項７】
請求項４から請求項６のいずれか１つに記載する無端状ベルトにおいて，
前記第２領域と前記第４領域の少なくとも一方のベルトの回転方向の端部の境界線は，ベルトの回転方向に対して斜めに設けられていることを特徴とする無端状ベルト。
【請求項８】
無端状のベルトの基材と，前記基材の縁部に貼付されたテープ部材とを有し，前記テープ部材の端部領域同士を重ねて繋ぎ合わせた無端状ベルトを備えた画像形成装置において，
前記テープ部材は，
粘着層を有する第１領域と，
少なくとも一方の端部領域に位置し，粘着層が無いあるいは粘着層の厚さが前記第１領域よりも薄い第２領域とを有し，
端部領域同士の繋ぎ目では，一方の端部領域内の第１領域と他方の端部領域内の第２領域とが重ね合わせられていることを特徴とする画像形成装置。
【請求項９】
無端状のベルトの基材と，前記基材の縁部に貼付され，端部が非接触で対向するテープ部材と，前記テープ部材の両端部領域上に貼付され，前記テープ部材の端部領域間の隙間を補強する補助テープ部材とを有する無端状ベルトを備えた画像形成装置において，
前記補助テープ部材は，
粘着層を有する第１領域と，
粘着層が無いあるいは粘着層の厚さが前記第１領域よりも薄い第２領域とを有し，
前記テープ部材は，
粘着層を有する第３領域を有し，
前記テープ部材と前記補助テープ部材との繋ぎ目では，前記第２領域と前記第３領域とが重ね合わせられていることを特徴とする画像形成装置。
【発明の詳細な説明】
【技術分野】
【０００１】
本発明は，画像形成に供する無端状のベルト（以下，「無端状ベルト」とする）およびそれを備えた電子写真方式の画像形成装置に関する。さらに詳細には，縁部がテープによって補強された無端状ベルトおよびそれを備えた画像形成装置に関するものである。
【背景技術】
【０００２】
従来から，電子写真方式の画像形成装置では，無端状ベルトが利用されている。例えば，４サイクル方式のカラー画像形成装置では，無端状ベルトを中間転写体として利用し，無端状ベルト上に４色のトナー像を重ね合わせた後，記録紙に転写している。この他，電子写真方式の画像形成装置では，感光体や定着装置としても無端状ベルトを利用することができる。
【０００３】
図８は，画像形成装置内に載置されるベルトユニット９０の一例を示している。ベルトユニット９０は，無端状ベルト９が駆動ローラ９１，従動ローラ９２，テンションローラ９３に巻き掛けられ，さらに無端状ベルト９が図８中の矢印Ａ方向に回転するように構成されている。このようなベルトユニット９０では，従動ローラ９２やテンションローラ９３の相対的な捩れが原因で，無端状ベルト９の走行方向と直交する方向（図８中の矢印Ｂ：スラスト方向）に蛇行する力（以下，この力を「蛇行力」とする）が発生する。そのため，ベルトユニット９０では，無端状ベルト９が外れないように蛇行規制部材を設置して蛇行を抑制している。しかし，蛇行力が過大となると，その蛇行規制部材との圧接によってベルト割れが発生してしまう。
【０００４】
そこで，図９に示すように，無端状ベルト９の縁部に補強テープ９６を貼り付けて機械的強度を補強する方法が提案されている（例えば，特許文献１，特許文献２）。補強テープ９６付きの無端状ベルト９は実用化されており，蛇行力によるベルト割れを抑制する一般的な手段となっている。
【特許文献１】特開２００２−６８５１３号公報
【特許文献２】実開平５−７２４３３号公報
【発明の開示】
【発明が解決しようとする課題】
【０００５】
しかしながら，前記した補強テープ付きの無端状ベルトには，次のような問題があった。すなわち，無端状ベルト９の縁部全体を補強すると，図９および図１０に示したように補強テープ９６の繋ぎ目が生じる。補強テープ９６の繋ぎ目では，補強テープ９６の端部領域同士が重ね合わせられる。無端状ベルト９は，各ローラへ巻きかかるときと巻き終わるときとで曲げ伸ばしが繰り返されるが，繋ぎ目では補強テープ９６の強度が急激に変化する。この強度の変化により，補強テープ９６の繋ぎ目では応力集中が生じる。その結果，疲労によってベルト割れが生じてしまい，補強テープ９６の補強能力が十分に発揮されない。
【０００６】
また，補強テープ９６の繋ぎ目では，補強テープ９６の基材９６１と粘着材９６２との重なり合いによって厚さが増す。そのため，無端状ベルト９の表面と当接する感光体ドラム等の当接力が変化し，この当接力の変化により応力集中が生じる。
【０００７】
また，補強テープ９６を重ねずに貼り合わせると，応力集中を緩和することができる。しかし，補強テープ９６の両端部を隙間なく合わせることは困難であり，無端状ベルト９の回転方向上に補強テープ９６がない場所が必ず生じる。そのため，結果として無端状ベルト９の機械的強度の向上を図ることはできない。従って，補強テープ９６を重ね合わせ，無端状ベルト９の縁部を無端状ベルト９の回転方向に全て補強しつつ応力集中を回避することが望まれる。
【０００８】
本発明は，前記した従来の無端状ベルトおよびそれを備えた画像形成装置が有する問題点を解決するためになされたものである。すなわちその課題とするところは，ベルトの応力集中を回避し，ベルトの機械的耐久性を向上させた無端状ベルトおよびそれを備えた画像形成装置を提供することにある。
【課題を解決するための手段】
【０００９】
この課題の解決を目的としてなされた無端状ベルトは，無端状のベルトの基材と，その基材の縁部に貼付されたテープ部材とを有し，テープ部材の端部領域同士を重ねて繋ぎ合わせた無端状ベルトであって，テープ部材は，粘着層を有する第１領域と，少なくとも一方の端部領域に位置し，粘着層が無いあるいは粘着層の厚さが第１領域よりも薄い第２領域とを有し，端部領域同士の繋ぎ目では，一方の端部領域内の第１領域と他方の端部領域内の第２領域とが重ね合わせられていることを特徴としている。また，本発明の画像形成装置は，本発明の無端状ベルトを備えることを特徴としている。
【００１０】
本発明の無端状ベルトは，幅方向の縁部がテープ部材によって補強されたものであって，そのテープ部材の端部領域同士が重ね合わされている。すなわち，無端状ベルトの基材の縁部を隙間なく補強している。なお，本明細書では，無端状ベルトの回転方向に対して端となる部分を「端部」とし，無端状ベルトの幅方向に対して縁となる部分を「縁部」としている。また，テープ部材の最端部から所定の長さまでの領域，より具体的には重ね合わせられて継ぎ目となる部分を「端部領域」としている。
【００１１】
そして，テープ部材の端部領域には，粘着層を有する第１領域と，粘着層が無いあるいは粘着層の厚さが第１領域よりも薄い第２領域とが設けられている。第２領域は，テープ部材の少なくとも一方の端部領域内に設けられ，他方の端部領域内の第１領域と重ね合わされる。これにより，テープ部材の厚さや強度の急激な変化を避けることができ，応力が分散する。従って，無端状ベルトの機械的耐久性が向上する。
【００１２】
また，本発明の無端状ベルトのテープ部材の上側に重ねられる端部領域では，粘着層を有する領域が最端部に接していることとするとよりよい。すなわち，最端部の少なくとも一部に粘着層を設けることで，最端部が固定される。そのため，テープ部材の端部の捲れを防止することができる。
【００１３】
また，本発明の無端状ベルトの第２領域のベルトの回転方向の端部の境界線は，ベルトの回転方向に対して斜めに設けられていることとするとよりよい。すなわち，第２領域の境界を斜めに設けることで，ローラに巻きかかる際および巻き終わる際に，徐々に強度が変化するようになる。よって，第１領域同士を重ね合わせたとしても，テープ部材の強度の急激な変化を避けることができる。
【００１４】
また，本発明の別の無端状ベルトは，無端状のベルトの基材と，その基材の縁部に貼付され，端部が非接触で対向するテープ部材と，そのテープ部材の両端部領域上に貼付され，テープ部材の端部領域間の隙間を補強する補助テープ部材とを有する無端状ベルトであって，補助テープ部材は，粘着層を有する第１領域と，粘着層が無いあるいは粘着層の厚さが第１領域よりも薄い第２領域とを有し，テープ部材は，粘着層を有する第３領域を有し，テープ部材と補助テープ部材との繋ぎ目では，第２領域と第３領域とが重ね合わせられていることを特徴としている。また，本発明の別の画像形成装置は，本発明の別の無端状ベルトを備えることを特徴としている。
【００１５】
すなわち，この無端状ベルトは，テープ部材の端部領域同士が重なっておらず，補助テープ部材によって端部領域間の隙間を補強している。この補助テープ部材とテープ部材との重なりで，テープ部材の端部領域同士の重なりと同様の問題が生じる。そこで，補助テープ部材に粘着層が無いあるいはその肉厚が薄い領域（第２領域）を設ける。そして，その領域をテープ部材の通常の厚さの粘着層を有する領域（第３領域）と重ねることで，テープ部材および補助テープ部材の厚さや強度の急激な変化を避けることができる。従って，無端状ベルトにかかる応力が分散し，無端状ベルトの機械的耐久性が向上する。
【発明の効果】
【００１６】
本発明によれば，粘着領域がないあるいは粘着層の厚さが薄い領域と通常の領域である領域とを接着することで，テープ部材の厚さや強度の急激な変化を避け，応力集中を回避することができている。従って，ベルトの応力集中を回避し，ベルトの機械的耐久性を向上させた無端状ベルトおよびそれを備えた画像形成装置が提供されている。
【発明を実施するための最良の形態】
【００１７】
以下，本発明に係る無端状ベルトおよびそれを備えた画像形成装置を具体化した実施の形態について図面に基づいて説明する。本形態は，４サイクル方式のカラープリンタに利用される無端状ベルトに本発明を適用したものである。
【００１８】
本形態のカラープリンタ１００は，図１に示すように感光体ドラム１と，帯電器２と，露光器３と，現像ユニット４と，ベルトユニット５０と，１次転写ローラ７１と，２次転写ローラ７２と，クリーナユニット８１，８２とを有している。感光体ドラム１は，図１の矢印Ｄ１方向に回転可能に設けられている。現像ユニット４は，回転可能に設けられた現像ロータリ４０を備え，現像ロータリ４０には，４色の現像カートリッジ４Ｙ（イエロー），４Ｍ（マゼンタ），４Ｃ（シアン），４Ｋ（ブラック）が装填されている。画像形成時には，現像ロータリ４０が回転することにより，指定された現像色に対応する現像カートリッジが感光体ドラム１と対向する。１次転写ローラ７１および２次転写ローラ７２には，所定の電圧が印加されている。この他，カラープリンタ１００は，給紙カセット，定着器等を有している。
【００１９】
また，ベルトユニット５０は，２次転写ローラ７２に対向する駆動ローラ５１と，クリーナユニット８２に対向する従動ローラ５２と，テンションローラ５３と，巻き付けローラ５４とを有している。さらに，中間転写体として機能する無端状ベルト５が，上記のローラおよび１次転写ローラ７１に巻き掛けられている。また，無端状ベルト５は，巻き付けローラ５４および１次転写ローラ７１により，感光体ドラム１の周面に押し付けられている。また，無端状ベルト５は，図１の矢印Ｄ２方向に回転し，感光体ドラム１から転写されたトナー像を搬送する。なお，無端状ベルト５の詳細については後述する。
【００２０】
カラープリンタ１００は，次の手順によってカラー画像を形成する。まず，帯電器２により，感光体ドラム１の表面が帯電される。次に，露光器３により，帯電された感光体ドラム１の表面に静電潜像が形成される。次に，現像ユニット４により，指定された現像色の現像カートリッジにて現像動作が行われる。次に，感光体ドラム１上に現像されたトナー像が１次転写ローラ７１によって無端状ベルト５上に転写される。そして，これまでの動作がＹＭＣＫの色ごとに行われ，無端状ベルト５上に４色のトナー像が重ね合わせられる。これにより，無端状ベルト５上にカラー画像が形成される。カラー画像が形成されると，記録紙が２次転写転写ローラ７２に向けて搬送される。そして，中間転写ベルト５上のトナー像は，２次転写転写ローラ７２によって記録紙上に転写される。記録紙上に転写されたトナー像は，定着器によって記録紙上に定着され，カラープリンタ１００から排紙される。
【００２１】
続いて，ベルトユニット５０の無端状ベルト５について説明する。無端状ベルト５は，像担持体（中間転写体）としての機能を有し，図２に示すように，ベルトの基材５５と，基材５５の外周面の両縁部に貼り付けられた補強テープ６とを有している。補強テープ６は，端部領域同士が重なって繋ぎ合わされており，無端状ベルト５の回転方向に隙間なく貼り合わされている。補強テープ６の幅は，５ｍｍ〜１０ｍｍ程度である。
【００２２】
ベルトの基材５５は，例えばポリカーボネート，ポリサルフォン，ポリイミド系重合体，エチレン／テトラフルオロエチレン共重合体（ＥＴＦＥ）等の有機高分子材によって形成される。
【００２３】
補強テープ６は，図３に示すように，テープの基材６１と，基材６１の一方の面上に塗布された粘着材による粘着層６２とを有している。基材６１の厚さは，５０μｍ〜１５０μｍ程度であり，粘着層６２の厚さは，５０μｍ〜１００μｍ程度である。
【００２４】
補強テープ６の基材６１は，例えばポリエステル，ポリアミド，ポリプロピレン，ポリイミド系重合体等の有機高分子材料の中で，機械的強度および伸縮性に優れた材料によって形成される。なお，粘着材は，公知の製品材料を使用する。また，本形態では，補強テープの基材６１に粘着材を直接塗布することによって粘着層６２を構成しているが，これに限るものではない。例えば，粘着層６２として，両面接着テープを使用してもよい。
【００２５】
また，補強テープ６の両端部領域（無端状ベルト５の回転方向において繋ぎ目となる領域）には，その最端部から所定の範囲（２ｍｍ〜１０ｍｍ程度）内の領域に粘着材が塗布されていない領域が設けられている。以下，補強テープ６を厚さ方向からみて，粘着材が塗布された領域を「粘着領域」とし，粘着剤が塗布されていない領域を「非粘着領域」とする。
【００２６】
このように非粘着領域が設けられた補強テープ６を，図４に示すように，一方の端部領域の非粘着領域が他方の端部領域の粘着領域と重なり合うように配置する。さらには，粘着領域同士が重なり合わないように配置する。このように配置することで，図５に示すように，厚さ方向からみて粘着層６２が１層以下になる。すなわち，非粘着領域と粘着領域が重なり合ったとしても，最も厚さが厚い部分が２層の基材６１と１層の粘着層６２によって構成されるため，隣接する部分との厚さの差が小さい。よって，従来の補強テープ（２層の基材と２層の粘着層によって繋ぎ目を構成。図１０参照）と比べて，補強テープ６の厚さの急激な変化を避けることができる。
【００２７】
また，繋ぎ目部分では，粘着層６２が１層以下であり，隣接する部分との強度差が小さい。よって，従来の補強テープと比べて，強度の急激な変化を避けることができる。よって，補強テープ６の端部での応力集中を回避することができる。
【００２８】
具体的には，図５の右側の応力分散箇所については，無端状ベルト５の各種ローラへの巻きかかりおよび巻き終わりでの強度の変化による応力集中を緩和している。また，図５の左側の応力分散箇所については，感光体ドラム等と当接するときの厚さの変化による応力集中を緩和している。
【００２９】
なお，補強テープ６は，最端部に粘着層６２が設けられていないことから，無端ベルト５の回転方向によっては補強テープ６の端部が捲れ上がることが考えられる。そのため，繋ぎ目部分では，重なり合った端部領域のうち，上側に配置される端部領域の最端部が，無端ベルト５の回転方向に対して下側に配置される最端部よりも上流側に位置するように貼り付ける。
【００３０】
［応用例１］
補強テープ６の非粘着領域の形態は，図３に示したような端部全体を非粘着領域としたものに限らない。すなわち，補強テープ６の端部の一部でも非粘着領域であれば，本発明を適用可能である。
【００３１】
図６は，非粘着領域の形態の応用例を示している。図６中，ハッチングされた領域が粘着領域であり，ハッチングされていない領域が非粘着領域である。応用例に示すように，粘着領域が補強テープの幅方向に交互に設けられたレイアウト（例えば，図６のａ，ｃ）であってもよい。この場合，重なり合う他方の端部領域では，粘着領域の位置と非粘着領域の位置とが逆になる。このような配置であっても，補強テープの厚さの変化や機械的強度の変化を低減することができる。
【００３２】
また，無端状ベルト５の回転方向に対して斜め方向にカットされたレイアウト（例えば，図６のｄ，ｅ，ｆ，ｇ，ｈ）であってもよい。この場合，粘着領域同士を重なり合わせたとしても，ベルトの回転方向に対して徐々に重なり合う領域が増すことになる。すなわち，無端状ベルト５が各ローラに巻きかかる際および巻き終わる際に徐々に強度が変化する。そのため，粘着領域同士を重ねたとしても応力集中が緩和される。
【００３３】
また，補強テープの最端部の少なくとも一部に粘着領域が設けられたレイアウト（例えば，図６のａ，ｂ，ｃ，ｆ，ｉ）とし，このレイアウトの端部領域が上側になるように重ねるとするとよい。この場合，最端部が接着されることから，端部の捲れを防ぐことができる。
【００３４】
［応用例２］
実施の形態では，補強テープ６の端部領域同士を重ね合わせることで，無端状ベルト５の回転方向の全領域を補強しているが，全領域の補強の仕方はこれに限るものではない。応用例にかかる無端状ベルトでは，両縁部に貼付される補強テープ６の他，その繋ぎ目部分にさらなる補助テープを貼り付ける。すなわち，図７に示すように，補強テープ６の両端部が補助テープ６０によって覆われている。なお，応用例の補強テープ６では，端部領域同士が重なり合わされていない。また，補助テープ６０は，補強テープ６と同様の材料からなり，基材と粘着層とを有している。
【００３５】
この補助テープ６０の両端部領域（無端状ベルト５の回転方向に対して上流側の端部領域と下流側と端部領域）に非粘着領域を設ける。非粘着領域の境界線は，無端状ベルトの回転方向に対して斜めに設けられている。このようなレイアウトとすることで，補強テープ６および補助テープ６０の厚さの変化および強度の変化が小さくなる。すなわち，各種ローラへの巻きかかり時および巻き終わり時，あるいは無端状ベルト５の感光体ドラム等への当接時に生じる応力集中が緩和される。
【００３６】
なお，補助テープ６０と補強テープ６とが重なり合っている部分において，補助テープ６０が接着領域となっている部分では補強テープ６が非接着領域となっているとよりよい。すなわち，接着領域同士を重ねないことで，より応力集中を緩和することができる。
【００３７】
以上詳細に説明したように本形態のカラープリンタ１００では，補強テープ６の両端部領域が重なり合うことで無端状ベルト５の基材５５を隙間なく補強し，蛇行力によるベルト割れを抑制している。そして，無端状ベルト５の縁部を補強する補強テープ６の端部領域には，非粘着領域（第２領域）が設けられている。そして，一方の端部領域内の非粘着領域と他方の端部領域内の粘着領域（第１領域）とを重ね合わせることとしている。これにより，補強テープ６の厚さや強度の急激な変化を避けることができ，応力が分散する。従って，無端状ベルトの応力集中を回避し，ベルトの機械的耐久性を向上させた無端状ベルトおよびそれを備えた画像形成装置が実現している。
【００３８】
また，応用例２に示すように，補強テープ６の端部を補強する補助テープ６０を設けてもよい。そして，補助テープ６０に粘着領域（第１領域）と非粘着領域（第２領域）とが設けられている。そして，補強テープ６の端部領域内の粘着領域（第３領域）とを重ね合わせることとしている。これにより，補助テープ６０と補強テープ６と繋ぎ目における厚さや強度の急激な変化を避けることができ，応力が分散する。
【００３９】
なお，本実施の形態は単なる例示にすぎず，本発明を何ら限定するものではない。したがって本発明は当然に，その要旨を逸脱しない範囲内で種々の改良，変形が可能である。例えば，複写機，スキャナ，ＦＡＸあるいはワードプロセッサ等であっても適用可能である。また，４サイクル方式のカラー機に限らず，タンデム方式のカラー機であっても適用可能である。また，カラー機に限定するものではなく，モノクロ機であっても適用可能である。
【００４０】
また，実施の形態では，補強ベルト６の厚さを調節する手段として，粘着材が完全に塗布されていない領域（非粘着領域）を設けているが，これに限るものではない。すなわち，粘着材の塗布量を減少させることで厚さを調節してもよい。例えば，厚さが異なる複数枚の両面接着テープを利用し，補強テープ６の最端部に向けて厚さが薄くなるような順で接着テープを貼り付ける。これにより，補強テープ６の厚さの変化が小さくなり，無端状ベルト５に生じる応力が緩和される。
【００４１】
また，実施の形態では，補強ベルト６の両端部に非粘着領域を設けているが，一方の端部にのみ設けてもよい。この場合，重なり合ったときに下側に位置する端部を非粘着領域とする。これにより，補強テープ６の強度の変化が小さくなり，無端状ベルト５に生じる応力が緩和される。さらには，上側に位置する端部は最端部まで粘着層を有することから捲れも抑制される。
【００４２】
また，実施の形態では，中間転写ベルトとして機能する無端状ベルト５に本発明を適用しているが，無端状ベルトはその他にも適用可能である。例えば，電子写真方式の画像形成装置の被現像体として機能する筒状のベルトに本発明を適用することができる。また，定着ベルトにも本発明を適用することができる。
【図面の簡単な説明】
【００４３】
【図１】電子写真方式の画像形成装置の概略構成を示す図である。
【図２】実施の形態にかかる無端状ベルトの構成を示す図である。
【図３】実施の形態にかかる補強テープの端部の構成を示す図である。
【図４】実施の形態にかかる無端状ベルトの縁部の補強テープの貼り合わせ例を示す図である。
【図５】図４のＡ−Ａ断面を示す図である。
【図６】応用例にかかる補強テープの構成を示す図である。
【図７】応用例の補強テープの貼り合わせ例を示す図である。
【図８】無端状ベルトの捩れと無端状ベルトの蛇行力との関係を示す図である。
【図９】従来の形態にかかる無端状ベルトの縁部の補強テープの貼り合わせ例を示す図である。
【図１０】図９のＢ−Ｂ断面を示す図である。
【符号の説明】
【００４４】
１      感光体ドラム
５      無端状ベルト
５０    ベルトユニット
５５    ベルトの基材
６      補強テープ（テープ部材）
６０    補助テープ（補助テープ部材）
６１    補強テープの基材
６２    補強テープの粘着層
１００  カラープリンタ（画像形成装置）
【図１】
2007139997.tif 000003
【図２】
2007139997.tif 000004
【図３】
2007139997.tif 000005
【図４】
2007139997.tif 000006
【図５】
2007139997.tif 000007
【図６】
2007139997.tif 000008
【図７】
2007139997.tif 000009
【図８】
2007139997.tif 000010
【図９】
2007139997.tif 000011
【図１０】
2007139997.tif 000012